(57)【特許請求の範囲】
【請求項１】
端子金具と、
前記端子金具を収容する複数のキャビティ部を有するとともに、一端側に平面状のシール設置面を有しており、前記シール設置面には前記複数のキャビティ部のそれぞれと連通する複数の開口が行列状に配列されて設けられているハウジング部と、
前記シール設置面を覆うように前記ハウジング部に装着されるカバー部と、
弾性を有し、前記ハウジング部における前記シール設置面と前記ハウジング部に装着された前記カバー部との間に介在するように配置されるシール部材と、を備え、
前記シール部材は、前記シール設置面に対向する対向面と、前記ハウジング部における前記複数の開口に対応するように行列状に配列されて設けられた複数の挿通口と、を有し、
前記対向面には、前記シール設置面の側に向けて突出する凸形状のリブ部が、前記複数の挿通口のそれぞれを個別に囲むように設けられており、
前記リブ部は、突出先端が前記シール設置面との当接当初に当該シール設置面と線接触する先端形状部を有し、前記シール部材の弾性変形により前記シール設置面との接触面積が広がって面接触に移行して当該シール設置面に対する押圧力が増大するように構成されており、
さらに、前記リブ部は、前記行列状の行方向または列方向のいずれか一方向において隣り合う前記挿通口の間には一重で配置され、前記行列状の行方向または列方向のいずれか他方向において隣り合う前記挿通口の間には間隔を空けて二重で配置されて、前記複数の挿通口を行毎または列毎に別々に囲むように設けられている
防水コネクタ。
【請求項２】
前記リブ部の前記先端形状部は、突出先端が断面円弧状に形成されている
請求項１に記載の防水コネクタ。
【請求項３】
前記リブ部の前記先端形状部は、突出先端に頂点を有する形状に形成されている
請求項１に記載の防水コネクタ。
【請求項４】
前記ハウジング部における前記開口は、前記端子金具の挿抜用部分と係止解除治具用の挿抜用部分とを有しているとともに、各挿抜用部分が前記行列状の列方向に並んで配置されており、
前記リブ部は、前記行列状の行方向において隣り合う前記挿通口の間には一重で配置され、前記行列状の列方向において隣り合う前記挿通口の間には間隔を空けて二重で配置されて、前記複数の挿通口を行毎または列毎に別々に囲むように設けられている
請求項１から３のいずれか１項に記載の防水コネクタ。
【発明の詳細な説明】
【技術分野】
【０００１】
本発明は、防水コネクタに関する。
【背景技術】
【０００２】
多ピン構成の防水コネクタの中には、端子金具毎に個別に防水機能を付与する、いわゆる個室防水機能を備えたものがある。個室防水機能を備えた防水コネクタとしては、例えば、ハウジングの嵌合端面に、端子挿入口等を囲むようにリブが格子状に形成されており、シール部材の当接面がリブに食い込ませつつ押し付けられる構成としたものがある（例えば、特許文献１参照）。
【先行技術文献】
【特許文献】
【０００３】
【特許文献１】特許第３９２８４６０号公報
【発明の概要】
【発明が解決しようとする課題】
【０００４】
上述した従来構成の防水コネクタでは、ハウジングの側にリブを形成する必要があるため、ハウジング形状が複雑化してしまう。ハウジング形状の複雑化は、部品の精度向上、製造コスト抑制、歩留まり向上、信頼性確保等の点で好ましくない。
【０００５】
本発明は、簡素な構成でも確実に個室防水機能を実現することができる防水コネクタを提供することを目的とする。
【課題を解決するための手段】
【０００６】
本発明の一態様によれば、
端子金具と、
前記端子金具を収容するキャビティ部を有するとともに、一端側に平面状のシール設置面を有しており、前記シール設置面には前記キャビティ部と連通する開口が設けられているハウジング部と、
前記シール設置面を覆うように前記ハウジング部に装着されるカバー部と、
弾性を有し、前記ハウジング部における前記シール設置面と前記ハウジング部に装着された前記カバー部との間に介在するように配置されるシール部材と、を備え、
前記シール部材は、前記シール設置面に対向する対向面と、前記ハウジング部における前記開口に対応するように配設された挿通口と、を有し、
前記対向面には、前記シール設置面の側に向けて突出する凸形状のリブ部が、前記挿通口を囲むように設けられており、
前記リブ部は、突出先端が前記シール設置面との当接当初に当該シール載置面と線接触する先端形状部を有する
防水コネクタが提供される。
【発明の効果】
【０００７】
本発明によれば、比較的剛性が高いハウジング部ではなく、弾性を有するシール部材の側に、リブ部を設けている。したがって、リブ部の追従性が良好となり、ハウジング部の形状複雑化を抑制しつつ、個室防水機能を確実に実現することが可能となる。
【図面の簡単な説明】
【０００８】
【図１】本発明の一実施形態に係る防水コネクタの全体構成の一具体例を示す説明図であり、（ａ）は斜視図、（ｂ）は側断面図である。
【図２】本発明の一実施形態に係るＦコネクタの構成例を示す斜視図である。
【図３】本発明の一実施形態に係るＦコネクタにおけるハウジング部の構成例を示す斜視図である。
【図４】本発明の一実施形態に係るＦコネクタにおけるシール部材の構成例を示す説明図であり、（ａ）は斜視図、（ｂ）はＡ−Ａ断面図である。
【図５】本発明の一実施形態に係るＦコネクタにおけるシール部材の配置例を示す斜視図である。
【発明を実施するための形態】
【０００９】
以下、本発明の一実施形態に係る防水コネクタについて、図面を参照しながら説明する。
【００１０】
（１）防水コネクタの全体構成
まず、本実施形態に係る防水コネクタの全体構成について簡単に説明する。
図１は、防水コネクタの全体構成の一具体例を示す説明図である。
【００１１】
本実施形態に係る防水コネクタ１は、図１（ａ）に示すように、多ピン（例えば、４８ピン）構成の雌コネクタ（以下「Ｆ（ｆｅｍａｌｅ）コネクタ」ともいう。）１０と、同じく多ピン構成の雄コネクタ（以下「Ｍ（ｍａｌｅ）コネクタ」ともいう。）２０と、を備えている。そして、Ｆコネクタ１０とＭコネクタ２０とを互いに嵌合させてそれぞれの端子金具同士の電気的接続を確保したり、それぞれの間の嵌合状態を解除したりし得るように構成されている。
【００１２】
Ｆコネクタ１０は、図１（ｂ）に示すように、ケーブル１１の心線が接続される雌型の端子金具１２と、その端子金具１２を収容するハウジング部１３と、そのハウジング部１３の一端側に装着されるカバー部１４と、ハウジング部１３とカバー部１４との間に介在するように配置されるシール部材１５と、ケーブル１１の配置側を封止するためのケーブルシール１６と、そのケーブルシール１６を押さえるリテーナ部材１７と、を備えて構成されている。
【００１３】
一方、Ｍコネクタ２０は、Ｆコネクタ１０の端子金具１２の嵌合相手となる雄型の端子金具２１と、その端子金具２１を収容するハウジング部２２と、を備えて構成されている。なお、ここでは、Ｍコネクタ２０が配線基板に直接実装される、いわゆる基板実装型のものである場合を例示しているが、必ずしもこれに限定されるものではなく、Ｆコネクタ１０と同様にケーブルが接続されるように構成されたものであってもよい。
【００１４】
Ｆコネクタ１０およびＭコネクタ２０は、多ピン構成のものであり、各端子金具１２，２１が行列状に配列されている。具体的には、例えば４８ピン構成の場合であれば、各端子金具１２，２１が３列×１６行のマトリクス状に配列されている。
【００１５】
（２）防水コネクタの要部構成
次に、本実施形態に係る防水コネクタの要部構成について詳しく説明する。
本実施形態に係る防水コネクタ１は、Ｆコネクタ１０の構成に大きな特徴がある。
【００１６】
図２は、Ｆコネクタの構成例を示す斜視図である。
Ｆコネクタ１０は、ハウジング部１３の一端側（具体的には、Ｍコネクタ２０との嵌合側）にカバー部１４が装着され、カバー部１４が装着された状態でそれぞれの間にシール部材１５が介在するように構成されている。以下、これらの各構成要素につき、さらに詳しく説明する。
【００１７】
（ハウジング部）
図３は、ハウジング部の構成例を示す斜視図である。
ハウジング部１３は、絶縁性を有する樹脂材料（例えば、ポリブチレンテレフタレート：ＰＢＴ）の一体成型加工によって形成されたもので、内部に端子金具１２を収容し得るように構成されている。さらに詳しくは、ハウジング部１３は、端子金具１２を収容するための図示せぬキャビティ（空洞）部を、収容すべき端子金具１２の数（例えば４８個）有して構成されている。キャビティ部には、端子金具１２と係止する図示せぬランス（係止片）が設けられているものとする。
【００１８】
また、ハウジング部１３は、カバー部１４が装着される一端側に、平面状に形成されたシール設置面１３ａを有して構成されている。そして、シール設置面１３ａには、ハウジング部１３内のキャビティ部と連通する開口１３ｂが設けられている。開口１３ｂは、キャビティ部に対応する数だけを、収容すべき端子金具１２の数（例えば４８個）が設けられている。したがって、４８ピン構成の場合であれば、開口１３ｂは、例えば、３列×１６行のマトリクス状に配列されている。なお、各開口１３ｂは、キャビティ部に収容する端子金具１２の嵌合相手となる端子金具２１が挿抜可能な大きさで形成された部分と、端子金具１２とランスとの係止を解除する係止解除治具を挿抜可能な大きさで形成された部分と、を有しているものとする。端子金具２１および係止解除治具が挿抜可能であれば、各開口１３ｂは、端子金具２１の挿抜用部分と係止解除治具の挿抜用部分とがそれぞれ別々に形成されていてもよい。
【００１９】
（カバー部）
カバー部１４は、ハウジング部１３と同様に絶縁性を有する樹脂材料（例えばＰＢＴ）の一体成型加工によって形成されたもので、シール設置面１３ａを覆うようにハウジング部１３に装着される形状に形成されている。なお、カバー部１４におけるシール設置面１３ａとの対向面には、当該シール設置面１３ａと同様に、端子金具２１を挿抜可能とするための開口が設けられているものとする（例えば、図２参照）。
【００２０】
（シール部材）
図４は、シール部材の構成例を示す説明図である。
シール部材１５は、耐水性、耐熱性および耐薬品性に優れた弾性材料（例えば、シリコンゴム）の成型加工によって形成されたもので、ハウジング部１３におけるシール設置面１３ａと当該ハウジング部１３に装着されたカバー部１４との間に介在することで、ハウジング部１３におけるキャビティ部内の空間を封止するためのものである。
【００２１】
そのために、シール部材１５は、図４（ａ）に示すように、ハウジング部１３のシール設置面１３ａに合致する平面形状で、かつ、シール設置面１３ａとカバー部１４との間に介在し得る厚さの平板状に形成されており、当該平板状の一方の面がシール設置面１３ａに対向する対向面１５ａとなるように構成されている。さらに、シール部材１５には、対向面１５ａとその反対側の面とを貫通する挿通口１５ｂが、ハウジング部１３のシール設置面１３ａにおける開口１３ｂに対応するように配設されている。ここで「開口１３ｂに対応するように配設」とは、開口１３ｂと個別に重なる位置に挿通口１５ｂが設けられていることを意味する。したがって、例えば、開口１３ｂが３列×１６行のマトリクス状に配列されている場合であれば、挿通口１５ｂについても、３列×１６行のマトリクス状に配設されることになる。ただし、開口１３ｂが端子金具２１の挿抜用部分と係止解除治具の挿抜用部分とを有する場合、挿通口１５ｂは、端子金具２１の挿抜用部分のみに対応して設けられていればよい。カバー部１４およびシール部材１５の装着状態では係止解除治具が挿抜されることはなく、係止解除治具の挿抜用部分をシール部材１５で塞いだほうが、キャビティ部内の空間を封止する上では好ましいからである。
【００２２】
シール部材１５において、対向面１５ａには、シール設置面１３ａの側に向けて突出する凸形状のリブ部１５ｃが、挿通口１５ｂを囲むように設けられている。シール部材１５が複数の挿通口１５ｂを有する場合であれば、リブ部１５ｃは、複数の挿通口１５ｂのそれぞれを個別に囲むように設けられることになる。
【００２３】
複数の挿通口１５ｂが行列状に配列されている場合、リブ部１５ｃは、当該挿通口１５ｂを行毎または列毎に別々に囲むように設けられていてもよい。具体的には、挿通口１５ｂが３列×１６行のマトリクス状に配設されている場合であれば、例えば、各列毎に別々リブ部１５ｃを設け、各列を囲むリブ部１５ｃ同士の間隔を空けて配置することが考えられる。
【００２４】
対向面１５ａから突出するように設けられたリブ部１５ｃは、図４（ｂ）に示すように、突出先端がハウジング部１３のシール設置面１３ａとの当接当初に当該シール載置面１３ａと線接触する先端形状部１５ｄを有するように形成されている。ここでいう「線接触」とは、無荷重のときに線で接触する状態のことをいい、特にリブ部１５ｃが延びる方向に沿って接触箇所が線状に連続する状態のことをいう。無荷重のとき（すなわち、シール設置面１３ａとの当接当初）に線接触する先端形状部１５ｄは、必ずしもリブ部１５ｃの延設方向の全域にわたって形成されている必要はなく、当該延設方向の一部に形成されていてもよい。
【００２５】
具体的には、リブ部１５ｃは、先端形状部１５ｄが断面円弧状に形成されており、これにより断面円弧状の頂部がシール設置面１３ａと線接触するようになっている。円弧状の具体的な形状や大きさ等については、特に限定されるものではなく、適宜設定されたものであればよい。
【００２６】
なお、Ｆコネクタ１０において、上述した各部以外については、公知技術を用いて構成すればよく、ここではその詳細な説明を省略する。Ｍコネクタ２０についても同様に、公知技術を用いて構成すればよく、ここではその詳細な説明を省略する。
【００２７】
（３）防水コネクタの使用態様
次に、本実施形態に係る防水コネクタ１の使用態様について説明する。
【００２８】
防水コネクタ１は、Ｆコネクタ１０とＭコネクタ２０とを互いに嵌合させ、それぞれにおける端子金具１２，２１を電気的に接続させることで使用される。これにより、端子金具１２に接続するケーブル１１の心線と、端子金具２１に接続する配線基板上の配線パターンとは、それぞれの間の導通が確保される。
【００２９】
このようなＦコネクタ１０とＭコネクタ２０との嵌合に先立ち、Ｆコネクタ１０については、以下に述べるようなアセンブリ処理が行われる。
【００３０】
まず、ケーブル１１の心線が接続された端子金具１２を防水コネクタ１のピン数分用意する。
【００３１】
一方、用意した各端子金具１２がキャビティ部内に挿入されることになるハウジング部１３については、そのハウジング部１３のシール設置面１３ａ上にシール部材１５を配置する。
図５は、シール部材の配置例を示す斜視図である。
シール部材１５を配置すると、そのシール部材１５は、ハウジング部１３のシール設置面１３ａを覆うことになる。このとき、シール部材１５は、対向面１５ａがシール設置面１３ａの側に向いた状態で配置されるものとする。つまり、シール部材１５は、対向面１５ａに設けられたリブ部１５ｃがシール設置面１３ａと面するように配置される。その場合に、シール部材１５は、例えばある一つの角部近傍に切り欠き部１５ｅや突出ボス部１５ｆ等を設けて非対称性を有するように構成しておけば、向きの誤配置を防止する上で有用なものとなる。ただし、切り欠き部１５ｅや突出ボス部１５ｆ等は、必須ではない。
【００３２】
シール部材１５の配置後は、続いて、当該シール部材１５が配置されたハウジング部１３の一端側にカバー部１４を装着する。これにより、シール設置面１３ａおよびシール部材１５は、カバー部１４によって覆われることになる（図２参照）。ハウジング部１３およびカバー部１４には、公知のロック機構が設けられている。そのため、カバー部１４を装着すると、ロック機構を係止解除しない限り、ハウジング部１３へのカバー部１４の装着状態が維持される。
【００３３】
ハウジング部１３にカバー部１４を装着すると、ハウジング部１３のシール設置面１３ａとカバー部１４との間にシール部材１５が介在することになる。このとき、シール部材１５は、シール設置面１３ａとカバー部１４とに挟まれた状態で厚さ方向に押圧されて弾性変形する。
【００３４】
シール部材１５が弾性変形する際に、シール部材１５の対向面１５ａの側では、まず、リブ部１５ｃの突出先端とハウジング部１３のシール設置面１ａ３との当接当初において、そのリブ部１５ｃの先端形状部１５ｄがハウジング部１３のシール設置面１３ａと線接触する。そして、シール部材１５の弾性変形が進むにつれて、リブ部１５ｃとシール設置面１３ａとの接触面積が広がって面接触に移行するとともに、リブ部１５ｃのシール設置面１３ａに対する押圧力が増大する。
【００３５】
これにより、シール設置面１３ａとシール部材１５との間では、開口１３ｂおよび挿通口１５ｂの周囲が、リブ部１５ｃとシール設置面１３ａとの接触によって個別に囲われた状態で封止される。つまり、開口１３ｂに連通するキャビティ部内の端子金具１２に対して、端子金具１２毎に個別に防水機能を付与する、いわゆる個室防水機能が実現されることになる。
【００３６】
また、シール設置面１３ａに対して、シール部材１５は、リブ部１５ｃの先端形状部１５ｄが線接触し、その後、シール部材１５の弾性変形によってリブ部１５ｃとシール設置面１３ａとの接触面積が広がって面接触となる。そのため、線接触からの弾性変形によって、リブ部１５ｃの延設方向における連続性が途絶えることなく、徐々に接触面積が広がることになり、当接当初から面接触する場合に比べると、開口１３ｂおよび挿通口１５ｂの周囲を確実に封止することができる。つまり、平面状のシール設置面１３ａに対して弾性を有する凸形状のリブ部１５ｃを接触させることによって、リブ部１５ｃをシール設置面１３ａに良好かつ確実に追従させることができる。しかも、リブ部１５ｃの先端形状部１５ｄがシール設置面１３ａと線接触する形状に形成されていることから、シール設置面１３ａとの接触当初は、比較的小さな力でシール部材１５を弾性変形させることが可能であり、その弾性変形のために要する力が過大になるのを抑制できる。
【００３７】
さらに、シール設置面１３ａに対して、シール部材１５は、厚さ方向に弾性変形した状態で接触している。したがって、リブ部１５ｃは、弾性変形によって得られる十分な押圧力によってシール設置面１３ａに密着することになり、これにより開口１３ｂおよび挿通口１５ｂの周囲を確実に封止することができる。
【００３８】
以上のように、ハウジング部１３の一端側にカバー部１４を装着してシール部材１５を弾性変形させれば、Ｆコネクタ１０では、リブ部１５ｃがシール設置面１３ａに良好に追従し、これにより個室防水機能を確実に実現することが可能となる。
【００３９】
このように、Ｆコネクタ１０については、シール部材１５が組み込まれた状態で提供される。その後、用意した各端子金具１２のそれぞれをハウジング部１３のキャビティ部内に挿入し、各端子金具１２をキャビティ部内に収容させれば、Ｆコネクタ１０についてのアセンブリ処理が完了することになる。なお、収容する端子金具１２の数は、必ずしもハウジング部１３のキャビティ部と同数である必要はない。例えば、ダミー栓を使用する場合のように、端子金具１２の数がキャビティ部の数とはならない場合もあり得る。
【００４０】
（４）本実施形態により得られる効果
本実施形態によれば、以下に示す一つまたは複数の効果が得られる。
【００４１】
（ａ）本実施形態においては、シール部材１５の対向面１５ａに凸形状のリブ部１５ｃを設け、そのリブ部１５ｃが開口１３ｂおよび挿通口１５ｂの周囲を個別に囲うように配し、これにより個室防水機能を実現する。その際に、リブ部１５ｃの配設箇所が弾性変形により得られる十分な押圧力でシール設置面１３ａに密着するので、開口１３ｂおよび挿通口１５ｂの周囲を確実に封止することができる。しかも、弾性を有するリブ部１５ｃの先端形状部１５ｄがシール設置面１３ａとの当接当初に線接触する形状であることから、リブ部１５ｃの延設方向における連続性が途絶えることなく、シール部材１５の弾性変形によって徐々に接触面積が広がることになり、リブ部１５ｃをシール設置面１３ａに良好かつ確実に追従させることができる。しかも、リブ部１５ｃの先端形状部１５ｄがシール設置面１３ａとの当接当初に線接触する形状であることから、弾性変形のために要する力が過大になるのを抑制しつつ、リブ部１５ｃをシール設置面１３ａに良好に追従させることができる。
その一方で、本実施形態では、シール部材１５の対向面１５ａに凸形状のリブ部１５ｃを設けているので、個室防水機能を実現する場合であっても、ハウジング部１３のシール設置面１３ａは平面状であればよく、その結果としてハウジング部１３の形状複雑化を抑制することができる。このことは、特にハウジング部１３を樹脂材料の一体成型加工（例えば、射出成型加工）によって形成する場合に、そのハウジング部１３の部品精度向上、製造コスト抑制、歩留まり向上、信頼性確保等を容易に実現し得るようになる点で、非常に好ましい。
つまり、本実施形態によれば、比較的剛性が高いハウジング部１３ではなく、弾性を有するシール部材１５の側に、リブ部１５ｃを設けている。したがって、リブ部１５ｃの追従性が良好となり、ハウジング部１３の形状複雑化を抑制しつつ、簡素な構成でも確実に個室防水機能を実現することが可能となる。
【００４２】
（ｂ）本実施形態で説明したように、リブ部１５ｃの先端形状部１５ｄが断面円弧状に形成されていれば、その先端形状部１５ｄをシール設置面１３ａと線接触させる上で非常に好適なものとなる。断面円弧状であれば、例えばリブ部１５ｃの突出方向に傾き等が生じた場合であっても、円弧状のいずれかの箇所がシール設置面１３ａと接触し、しかもその接触につきリブ部１５ｃの延設方向における連続性が確保されるからである。つまり、先端形状部１５ｄが断面円弧状であれば、必要以上のリブ部１５ｃの高精度化を要することなく、リブ部１５ｃの先端形状部１５ｄをシール設置面１３ａと確実に線接触させ得るようになる。
【００４３】
（ｃ）本実施形態で説明したように、複数の端子金具１２が行列状に配される多ピン構成の場合に、リブ部１５ｃが挿通口１５ｂを行毎に別々に囲むように設けられていれば、防水機能のより一層の確実化を図る上で好ましいものとなる。例えば、ある行を囲むリブ部１５ｃの損傷等が生じても、これによる防水機能劣化の影響が、他の行を囲むリブ部１５ｃに及ぶことを回避し得るからである。
なお、ここでは、主として、リブ部１５ｃが列毎に設けられている場合を例に挙げたが、必ずしもこれに限定されるものではなく、リブ部１５ｃが行毎に設けられている場合であっても、またはリブ部１５ｃが行毎および列毎に設けられている場合であっても、防水機能のより一層の確実化を図る上で好ましいものとなる。ただし、ハウジング部１３において、各開口１３ｂの端子金具２１の挿抜用部分と係止解除治具の挿抜用部分とがそれぞれ列方向に並んでいることを考慮すると、防水機能のより一層の確実化を図りつつ、各端子金具１２の狭ピッチ配置によるハウジング部１３の小型化を実現する上では、リブ部１５ｃが列毎に設けられていることが好ましい。
【００４４】
（５）変形例等
以上に、本発明の実施形態を具体的に説明したが、本発明は上述の実施形態に限定されるものではなく、その要旨を逸脱しない範囲で適宜変更可能である。
【００４５】
上述の実施形態では、リブ部１５ｃの先端形状部１５ｄが断面円弧状に形成されており、これにより断面円弧状の頂部がシール設置面１３ａと線接触する場合を例に挙げて説明したが、必ずしも本発明がこれに限定されることはない。例えば、リブ部１５ｃは、先端形状部１５ｄが断面三角形状である場合のように、先端形状部１５ｄに頂点を有する形状に形成されていてもよい。その場合であっても、リブ部１５ｃの先端形状部１５ｄがシール設置面１３ａと線接触することになるので、上述の実施形態の場合と同様の効果を得ることができる。
【００４６】
また、上述の実施形態では、シール載置面１３ａと線接触する先端形状部１５ｄがリブ部１５ｃの延設方向に連続する場合を例に挙げて説明したが、必ずしも本発明がこれに限定されることはない。例えば、先端形状部１５ｄがリブ部１５ｃの延設方向に断続的に配されており、リブ部１５ｃの一部がシール設置面１３ａとの当接当初に面接触するように形成されていてもよい。その場合であっても、少なくともシール載置面１３ａと線接触する先端形状部１５ｄをリブ部１５ｃが一部に有していれば、その部分においては上述したような効果を得ることができる。
【００４７】
また、上述の実施形態では、防水コネクタ１におけるＦコネクタ１０の構成に大きな特徴がある場合を例に挙げて説明したが、必ずしも本発明がこれに限定されることはない。シール部材１５に設けたリブ部１５ｃによる個室防水機能は、例えば、Ｆコネクタ１０ではなくＭコネクタ２０において実現するようにしてもよいし、Ｆコネクタ１０およびＭコネクタ２０のそれぞれにおいて実現するようにしてもよい。
【符号の説明】
【００４８】
１…防水コネクタ、１０…Ｆコネクタ、１１…ケーブル、１２…端子金具、１３…ハウジング部、１３ａ…シール設置面、１３ｂ…開口、１４…カバー部、１５…シール部材、１５ａ…対向面、１５ｂ…挿通口、１５ｃ…リブ部、１５ｄ…先端形状部、１５ｅ…切り欠き部、１５ｆ…突出ボス部、１６…ケーブルシール、１７…リテーナ部材、２０…Ｍコネクタ、２１…端子金具、２２…ハウジング部
【要約】
【課題】簡素な構成でも確実に個室防水機能を実現することができる防水コネクタを提供する。
【解決手段】一端側に平面状のシール設置面１３ａを有するハウジング部１３と、前記シール設置面１３ａを覆うように前記ハウジング部１３に装着されるカバー部１４と、弾性を有し、前記シール設置面１３ａと前記カバー部１４との間に介在するように配置されるシール部材１５と、を備える防水コネクタにおいて、前記シール部材１５は、前記シール設置面１３ａに対向する対向面１５ａと、前記ハウジング部１３における開口に対応するように配設された挿通口１５ｂと、を有し、前記対向面１５ａには、前記シール設置面１３ａの側に向けて突出する凸形状のリブ部１５ｃが、前記挿通口１５ｂを囲むように設けられており、前記リブ部１５ｃは、前記シール設置面１３ａとの当接当初に当該シール載置面１３ａと線接触する先端形状部１５ｄを有する。
【選択図】図４【図１】
0006879624.tif 000002
【図２】
0006879624.tif 000003
【図３】
0006879624.tif 000004
【図４】
0006879624.tif 000005
【図５】
0006879624.tif 000006